(57)【要約】移動ターミナルが少なくとも幾つかの要素から電力を周期的に除去できるようにするシステムが開示される。移動ターミナルは、コンテンツのバーストを受信する。コンテンツのバーストの幾つかは、コンテンツのその後のバーストの送信時間を識別する相対的時間情報を含む。移動ターミナルは、それがコンテンツバーストを受信するようにスケジュールされていない時間中に受信モジュールから電力を除去することができる。
2005518155.tif 000002
【特許請求の範囲】
【請求項１】
ストリーミングコンテンツを供給する方法において、
（ａ）コンテンツを含む情報ストリームを受信し、
（ｂ）前記コンテンツの第１部分を含む第１バーストを形成し、
（ｃ）前記コンテンツの第２部分を含む第２バーストを形成し、そして
（ｄ）前記第１バーストの送信と前記第２バーストの送信との間の第１相対的時間周期を前記第１バーストにエンコードする、
という段階を備えた方法。
【請求項２】
（ｅ）前記第１バーストを送信媒体へ送信し、
（ｆ）前記第２バーストを、前記第１相対的時間周期により決定された時間に前記送信媒体へ送信する、
という段階を備えた請求項１に記載の方法。
【請求項３】
前記第１バーストの帯域巾は、前記送信媒体のチャンネルの最大帯域巾に対応する請求項２に記載の方法。
【請求項４】
前記第１バーストの帯域巾は、前記送信媒体のチャンネルの最大帯域巾未満である請求項２に記載の方法。
【請求項５】
前記第１バーストの帯域巾は、前記送信媒体の最大帯域巾に対応する請求項２に記載の方法。
【請求項６】
（ｅ）前記第２バーストの送信と、前記コンテンツの一部分を含む第３バーストの送信との間の第２相対的時間周期を前記第２バーストにエンコードする、
という段階を更に備えた請求項１に記載の方法。
【請求項７】
（ｄ）前記第１バーストに前記第１バーストの時間巾をエンコードする、
という段階を更に備えた請求項１に記載の方法。
【請求項８】
前記（ｄ）でエンコードされた第１時間周期は、マルチプロトコルカプセル化フレームにおいてエンコードされる請求項１に記載の方法。
【請求項９】
前記（ｄ）でエンコードされた第１時間周期は、インターネットプロトコルパケットにおいてエンコードされる請求項１に記載の方法。
【請求項１０】
前記（ｄ）でエンコードされた第１時間周期は、デジタルビデオブロードキャスト変調データにおいてエンコードされる請求項１に記載の方法。
【請求項１１】
前記段階（ｄ）は、前記相対的な時間周期を搬送ストリームパケットのヘッダにエンコードすることを含む請求項１に記載の方法。
【請求項１２】
前記段階（ｄ）は、前記相対的な時間周期を搬送ストリームパケットの適応フィールドにエンコードすることを含む請求項１に記載の方法。
【請求項１３】
前記搬送ストリームパケットは、ＭＰＥＧII搬送ストリームパケットを含む請求項１２に記載の方法。
【請求項１４】
ターミナルに受信されたコンテンツデータのバーストを処理する方法において、
（ａ）コンテンツの第１バーストを受信し、
（ｂ）前記第１バーストから、コンテンツの第２バーストの送信までの第１相対的時間周期を抽出し、そして
（ｃ）前記段階（ａ）の後に、前記第１相対的時間周期より短い時間周期中、移動ターミナルの少なくとも一部分から電力を除去する、
という段階を備えた方法。
【請求項１５】
前記移動ターミナルの少なくとも一部分は、受信モジュールを含む請求項１４に記載の方法。
【請求項１６】
前記受信モジュールは、パケットフィルタを含む請求項１５に記載の方法。
【請求項１７】
（ｄ）前記段階（ｃ）の後に、前記移動ターミナルの少なくとも一部分に電力を供給すると共に、コンテンツの第２バーストを受信し、そして
（ｅ）前記段階（ｄ）の後に、前記第１相対的時間周期より短い時間周期中、前記移動ターミナルの少なくとも一部分から電力を除去する、
という段階を備えた請求項１４に記載の方法。
【請求項１８】
（ｆ）前記第１バースト及び前記第２バーストに含まれたコンテンツからコンテンツストリームを形成する、
という段階を更に備えた請求項１７に記載の方法。
【請求項１９】
（ｄ）前記段階（ｃ）の後に、前記移動ターミナルの少なくとも一部分に電力を供給すると共に、コンテンツの第２バーストを受信し、
（ｅ）前記第２バーストから、コンテンツの第３バーストの送信までの第２相対的時間周期を抽出し、そして
（ｆ）前記段階（ｄ）の後に、前記第２相対的時間周期より短い時間周期中、前記移動ターミナルの少なくとも一部分から電力を除去する、
という段階を備えた請求項１４に記載の方法。
【請求項２０】
（ｇ）前記第１バースト及び前記第２バーストに含まれたコンテンツからコンテンツストリームを形成する、
という段階を更に備えた請求項１９に記載の方法。
【請求項２１】
前記段階（ｂ）は、マルチプロトコルカプセル化フレームから前記第１相対的時間周期を抽出することを含む請求項１４に記載の方法。
【請求項２２】
前記段階（ｂ）は、インターネットプロトコルパケットから前記第１相対的時間周期を抽出することを含む請求項１４に記載の方法。
【請求項２３】
前記段階（ｂ）は、デジタルビデオブロードキャスト変調データから前記第１相対的時間周期を抽出することを含む請求項１４に記載の方法。
【請求項２４】
前記段階（ｂ）は、搬送ストリームパケットの適応フィールドから前記相対的時間周期を抽出することを含む請求項１４に記載の方法。
【請求項２５】
前記搬送ストリームパケットは、ＭＰＥＧII搬送ストリームパケットを含む請求項２４に記載の方法、
【請求項２６】
コンテンツのバーストの少なくとも幾つかが相対的時間周期を含むようなコンテンツのバーストを処理する移動ターミナルにおいて、
前記コンテンツのバーストを受信する受信モジュールと、
前記コンテンツのバーストから相対的時間周期を抽出するように構成された抽出モジュールと、
前記相対的時間周期に対応する電力オフ時間周期中、少なくとも前記受信モジュールから電力を除去する電力管理モジュールと、
を備えた移動ターミナル。
【請求項２７】
前記電力管理モジュールに結合された時間ソースであって、前記電力管理モジュールに相対的時間情報を供給する時間ソースを更に備えた請求項２６に記載の移動ターミナル。
【請求項２８】
前記コンテンツのバーストを記憶するバッファを更に備えた請求項２７に記載の移動ターミナル。
【請求項２９】
前記コンテンツのバーストから連続的なコンテンツストリームを形成するプロセッサを更に備えた請求項２８に記載の移動ターミナル。
【請求項３０】
前記抽出モジュールは、マルチプロトコルカプセル化フレームから前記相対的時間周期を抽出する請求項２６に記載の移動ターミナル。
【請求項３１】
前記抽出モジュールは、インターネットプロトコルパケットから前記相対的時間周期を抽出する請求項２６に記載の移動ターミナル。
【請求項３２】
前記抽出モジュールは、デジタルビデオブロードキャスト変調データから前記相対的時間周期を抽出する請求項２６に記載の移動ターミナル。
【請求項３３】
前記抽出モジュールは、搬送ストリームパケットの適応フィールドから前記相対的時間周期を抽出する請求項２６に記載の移動ターミナル。
【請求項３４】
前記搬送ストリームパケットは、ＭＰＥＧII搬送ストリームパケットを含む請求項３３に記載の移動ターミナル。
【請求項３５】
コンテンツのバーストの少なくとも幾つかが、バースト間の相対的時間を指示する相対的時間データを含むようなコンテンツのバーストを処理する移動ターミナルにおいて、
前記コンテンツのバーストを受信する手段と、
前記コンテンツのバーストから相対的時間周期を抽出する手段と、
前記相対的時間周期に対応する電力オフ時間周期中、少なくとも前記受信手段から電力を除去する手段と、
を備えた移動ターミナル。
【請求項３６】
コンテンツのバーストの少なくとも幾つかが相対的時間周期を含むようなコンテンツのバーストを処理する受信器において、
前記コンテンツのバーストを受信する受信モジュールと、
前記コンテンツのバーストから相対的時間周期を抽出するように構成された抽出モジュールと、
前記相対的時間周期に対応する電力オフ時間周期中、少なくとも前記受信モジュールから電力を除去する電力管理モジュールと、
を備えた受信器。
【発明の詳細な説明】
【技術分野】
【０００１】
本発明は、ブロードキャストシステムに係る。より詳細には、本発明は、送信バーストとバーストとの間の移動ターミナルの消費電力を減少するシステム及び方法を提供する。
【背景技術】
【０００２】
従来のデジタルビデオブロードキャスト（ＤＶＢ）システムは、コンテンツのストリームを、送信媒体を経てデジタルビデオブロードキャスト受信器へ送信する。送信媒体は、通常、同軸ケーブル、衛星又はワイヤレスブロードキャストステーションを含む。各送信媒体は、限定された帯域巾を有し、通常、使用可能な帯域巾を複数のチャンネルに分割する。図１は、デジタルビデオブロードキャスト受信器へ送信される典型的な搬送ストリーム１００を示す。図１に示すように、典型的な搬送ストリームは、連続的であり、これが占有する帯域巾は、チャンネルの最大帯域巾未満である。
【０００３】
移動ターミナルは、ユーザに新たなサービスを提供するために益々利用されてきている。移動ターミナルが普及している理由は、軽量であり、標準電気コンセントのような固定電源への接続を必要としないからである。移動ターミナルの制約の１つは、移動ターミナルのバッテリ寿命である。ストリーミングコンテンツのような低ビットレートコンテンツの処理は、移動ターミナルのバッテリ寿命に否定的な影響を及ぼし得る。その結果、ユーザは、限定された時間周期中しかストリーミングコンテンツを受信及び視聴できない。ストリーミングコンテンツの受信及び処理から生じる限定されたバッテリ寿命の問題に対する従来の解決策は、余分なバッテリを携帯したり、より高価な又は大きなバッテリを使用したりすることを含む。明らかに、従来の解決策は、移動ターミナルの魅力を減じるものである。
【発明の開示】
【発明が解決しようとする課題】
【０００４】
それ故、この技術では、移動ターミナルがストリーミングコンテンツを受信して処理するのを許しながら、移動ターミナルのバッテリを効率的に利用するシステム及び方法が要望される。
【課題を解決するための手段】
【０００５】
この技術における前記要望の１つ以上は、移動ターミナルの少なくとも幾つかの要素から電力を周期的に除去するここに開示するシステム及び方法によって満足される。ストリーミング又はバーストコンテンツは、オリジナルのコンテンツより大きな帯域巾を有するコンテンツのバーストへと変換される。コンテンツのバーストが受信される時間周期と時間周期との間に受信モジュールから電力が除去されてもよい。バーストのタイミングに関する相対的なタイミング情報がバーストに含まれてもよい。他の効果の中でも、相対的なタイミング情報を使用すると、移動ターミナルは、ブロードキャストソースとの厳密な同期やレイテンシー遅延の計算を必要とせずに、受信モジュールから電力を除去することができる。
【０００６】
本発明の第１の実施形態は、ストリーミングコンテンツを供給する方法を提供する。この方法は、コンテンツを含む連続的な情報ストリームを受信し、そしてコンテンツの部分を含む第１及び第２バーストを作成することを含む。第１バーストの送信と第２バーストの送信との間の相対的な時間周期が第１バーストにおいてエンコードされる。
【０００７】
別の実施形態では、移動ターミナルに受信されたコンテンツデータのバーストを処理する方法が提供される。この方法は、コンテンツの第１バーストを受信し、そしてコンテンツの第２バーストの送信まで相対的な時間周期を抽出することを含む。コンテンツの第１バーストを受信した後に、相対的な時間周期より短い時間周期の間、移動ターミナルの少なくとも一部分から電力が除去される。
【０００８】
本発明の更に別の実施形態では、コンテンツのバーストを処理する移動ターミナルが提供される。コンテンツのバーストの少なくともあるものは、次のバーストに関連した相対的な時間情報を含む。移動ターミナルは、コンテンツのバーストを受信する受信モジュールと、コンテンツのバーストから相対的な時間周期を抽出するように構成された抽出モジュールとを備えている。電力管理モジュールは、相対的な時間周期に対応する電力オフ時間周期中、少なくとも受信モジュールから電力を除去する。
【０００９】
本発明の他の実施形態では、ここに開示する方法を実施するためのコンピュータ実行可能な命令が、コンピュータ読み取り可能な媒体に記憶される。
【発明を実施するための最良の形態】
【００１０】
同様の要素が同じ参照番号で示された添付図面を参照して本発明を一例として説明するが、本発明は、これに限定されるものではない。
【００１１】
図２は、本発明の一実施形態によりコンテンツのバーストを送信及び受信するシステムを示す。コンテンツは、オーディオコンテンツ、ビデオコンテンツ及び／又はデータを含んでもよい。ヘッド端２０２は、デジタルビデオブロードキャストネットワーク２０６を経て移動ターミナル２０４へコンテンツのバーストを送信する。説明上、単一の移動ターミナルしか示されていないが、ヘッド端２０２は、多数の移動ターミナル又は他の装置へコンテンツのバーストを送信できることを理解されたい。デジタルビデオブロードキャストネットワーク２０６は、同軸ケーブル、ワイヤレス送信ステーション、衛星又は他の送信媒体を含んでもよい。もちろん、本発明の態様は、デジタルビデオブロードキャストネットワーク以外のネットワーク、例えば、純粋なインターネットプロトコルネットワークを使用してもよい。
【００１２】
ヘッド端２０２は、情報信号２０８をバッファ２１０で受信することができる。バッファ２１０は、情報信号２０８のセグメントを記憶するメモリでよい。インターバルモジュール２１２は、コンテンツのバーストの送信と送信との間の相対的時間周期を決定するのに使用できる。インターバルモジュール２１２により決定される相対的時間周期は、ネットワーク２０６の最大帯域巾、ネットワーク２０６のチャンネルの最大帯域巾、又は他のファクタ、例えば、ヘッド端及び／又は移動ターミナルの電力管理効率に基づくものでよい。
【００１３】
マルチプロトコルカプセル化装置２１４は、ネットワーク２０６へ送信されるコンテンツをフォーマットするのに使用できる。本発明の一実施形態では、インターバルモジュール２１２により決定される相対的時間周期は、マルチプロトコルカプセル化装置２１４によりフォーマットされたコンテンツへとカプセル化される。時間ソース２１６は、コンテンツのバーストとバーストとの間の相対的時間周期を計算するためにインターバルモジュール２１２によって使用することができる。プロセッサ２１８は、マルチプロトコルカプセル化装置２１４からコンテンツを受信し、そしてデータを、インターバルモジュール２１２により決定された帯域巾及びインターバルをもつバーストへとフォーマットするように、コンピュータ実行可能な命令でプログラムされてもよい。
【００１４】
図３は、プロセッサ２１８により実行された処理から得られる一連のバースト３０２、３０４及び３０６を示す。図１に示す従来の搬送ストリーム１００とは異なり、図３に示すバースト３０２、３０４及び３０６は、周期的であり、且つ実質的に全ての使用可能なチャンネル帯域巾を消費する。以下で詳細に述べるように、図３に示す送信機構の効果の１つは、バーストの受信と受信との間で移動ターミナル２０４の要素から電力を除去できることである。例えば、時間周期ｔ1とｔ2との間に、移動ステーション２０４にはコンテンツが受信されない。それ故、少なくとも受信モジュール２２２から電力が除去されてもよい。時間ｔ3とｔ4との間にも、電力が除去されてもよい。当業者であれば、移動ターミナル２０４のいずれかの要素から除去された電力は、移動ターミナル２０４が次の送信バーストを受信する準備を整えるよう確保するためにバーストとバーストとの間の時間インターバルが経過する直前に再印加できることが明らかであろう。
【００１５】
送信モジュール２２０は、ネットワーク２０６にコンテンツバーストを送信し、これは、最終的に移動ターミナル２０４に供給される。もちろん、本発明の態様は、２つ以上の情報ソース２０８を含むシステムに使用されてもよい。それに対応する付加的なコンテンツバーストは、ネットワーク２０６の異なるチャンネルで送信されてもよいし、或いは第１組のコンテンツバーストと時分割多重化されてもよい。送信モジュール２２０は、時分割多重化を遂行するための要素を含んでもよい。このような要素は、容易に入手でき、当業者に良く知られている。
【００１６】
受信モジュール２２２は、バッファ２２４に接続されてもよい。バッファ２２４は、受信したコンテンツバーストを、その後の処理のために記憶できる。抽出モジュール２２６は、受信したコンテンツのバーストから相対的時間周期を抽出するのに使用できる。時間ソース２２８は、ローカル時間ソースとして使用されてもよい。一実施形態では、時間ソース２２８は、標準的な搬送ストリーム時間及び日付テーブルから時間情報を抽出してもよい。しかしながら、時間情報は、絶対的であるより相対的であるのが好ましいので、ヘッド端と移動ターミナルを共通の時間ソースに同期する必要はない。ヘッド端及び移動ターミナルは、独立した時間ソースを有してもよい。
【００１７】
移動ターミナル２０４は、電力管理モジュール２３０を備えてもよく、これは、抽出モジュール２２６により抽出された相対的時間情報と、時間ソース２２８から受け取られる時間情報とを受信して、受信モジュール２２２への電力を除去したり供給したりする。上述したように、コンテンツバーストが移動ターミナル２０４に受信されないときに、少なくとも受信モジュール２２２から電力が除去されてもよい。プロセッサ２３２は、バッファ２２４に記憶されたコンテンツバーストを受信しそして連続的なコンテンツストリームを形成する等の機能を遂行するために含まれてもよい。
【００１８】
移動ターミナル２０４は、移動電話で実施されてもよいし、パーソナルデジタルアシスタントで実施されてもよいし、或いはオーディオ、データ及び／又はビジュアルコンテンツをユーザに与えるために使用できる他のポータブル電子装置で実施されてもよい。従って、移動ターミナル２０４は、ビジュアルコンテンツをユーザに表示するためのディスプレイ２３４、及び／又はオーディオコンテンツをユーザに与えるためのスピーカ２３６を備えてもよい。
【００１９】
電力管理モジュール２３０は、相対的時間周期情報に基づいて移動ターミナル２０４の１つ以上の要素に電力を選択的に供給する。その結果、時間ソース２１６と時間ソース２２８を同期させる必要はない。各時間ソースが所定の精度を有していれば充分である。この所定の精度は、移動ターミナル２０４の効率要件に基づいて選択されてもよい。相対的に精度の高い時間ソースは、移動ターミナル２０４が、バーストの受信が予想される短時間前に、電力を供給できるようにする。精度の低い時間ソースでは、その不正確さを補償すると共に、移動ターミナル２０４がバースト受信の準備を整えるよう確保するために、電力を間もなく供給しなければならない。相対的時間周期情報を使用する別の効果は、レイテンシー遅延を自動的に考慮できるからである。特に、連続するバーストのレイテンシー遅延は、おそらく実質的に同じであるので、いつ電力を供給しそして除去すべきかを決定するのに、相対的時間周期情報で充分である。
【００２０】
図４は、本発明の一実施形態により、相対的タイミング情報を含むコンテンツのバーストを移動ターミナルに送信するための方法を示す。先ず、ステップ４０２において、ヘッド端がコンテンツストリームを受信する。コンテンツストリームは、連続的であってもよい。コンテンツストリームは、テレビ局のような情報ソースから受信された従来の情報信号でよい。或いは又、コンテンツストリームは、搬送ストリーム１００（図１に示す）のような従来の搬送ストリームでもよい。
【００２１】
次いで、ヘッド端は、ステップ４０４において、コンテンツの一部分を含む第１バーストを形成する。この第１バーストの帯域巾は、ステップ４０２で受信したオリジナルコンテンツストリームの帯域巾より大きい。同様に、ステップ４０６では、ヘッド端が、コンテンツの一部分を含む第２バーストを形成する。
【００２２】
次いで、ステップ４０８では、ヘッド端は、第１バーストの送信と第２バーストの送信との間の相対的時間周期を決定する。この相対的時間周期は、オリジナルコンテンツストリームのコンテンツ、送信媒体の使用可能な帯域巾、又は送信媒体のチャンネルの使用可能な帯域巾に基づくものでよい。相対的時間周期は、ステップ４１０において、コンテンツデータの第１バーストにエンコードされる。相対的時間周期は、インターネットプロトコル（ＩＰ）パケット、マルチプロトコルカプセル化フレーム、他のパケットフレーム、３Ｇ又はＧＰＲＳチャンネル、或いは送信器パラメータシグナリングのような変調データに含まれてもよい。
【００２３】
ステップ４１２では、第１バーストが送信媒体に送信される。相対的時間周期が経過すると、ステップ４１４において、第２バーストが送信媒体に送信される。
【００２４】
相対的時間周期は、１つのバーストの送信の始めから別のバーストの送信の始めまでの時間周期を識別してもよい。又、バーストの時間巾が含まれてもよい。本発明の一実施形態では、各バーストは、次々の送信バースト間の時間を決定する相対的時間周期情報を含んでもよい。例えば、第２バーストは、第３バーストを送信するまでの時間長さを決定する相対的時間周期情報を含んでもよい。本発明の他の実施形態では、バーストの送信と送信との間の相対的時間周期が変化したときだけ相対的時間周期情報がバーストに含まれてもよい。
【００２５】
図５は、本発明の一実施形態によりコンテンツのバーストを受信して処理するために移動ターミナルにより使用される方法を示している。先ず、ステップ５０２では、コンテンツの第１バーストが受信される。このバーストは、受信モジュール２２２（図２に示す）において受信されてもよい。ステップ５０４では、第１バーストから第１の相対的時間周期が抽出される。この第１の相対的時間周期は、第１バーストの送信と第２バーストの送信との間の時間インターバルを決定する。
【００２６】
ステップ５０６では、第１相対的時間周期より短い時間周期中、移動ターミナルの少なくとも一部分から電力が除去される。上述したように、電力が除去された要素には、移動ターミナルがコンテンツの付加的なバーストを受信するように構成され且つ準備されるよう確保するために、第１相対的時間周期が経過する直前に電力を供給することが望まれる。本発明の一実施形態では、受信モジュール２２２から電力が除去される。受信モジュール２２２は、比較的多量の電力を消費する要素、例えば、復調器を含んでもよい。もちろん、移動ターミナル２０４は、電力が付加的な要素へ選択的に供給されるように構成されてもよい。例えば、コンテンツのバーストの受信と受信との間に移動ターミナルの実質上全ての要素から電力が除去されてもよい。例えば、移動ターミナルが、ユーザに後で与えられるコンテンツを受信するときに、実質的に全ての要素から電力が除去されてもよい。移動ターミナル２０４は、コンテンツを受信し、そして後で検索するためにコンテンツをメモリに記憶してもよい。
【００２７】
ステップ５０８では、電力が除去された要素に電力が供給され、移動ターミナルは、コンテンツの第２バーストを受信する。又、移動ターミナルは、コンテンツの全バーストを検査して、付加的な相対的時間情報が含まれたかどうか決定するように構成されてもよい。例えば、移動ターミナル２０４は、コンテンツの第２バーストを検査して、コンテンツの第２バーストの送信とコンテンツの第３バーストの送信との間の相対的時間周期が含まれたかどうか決定してもよい。最終的に、ステップ５１０において、第１及び第２バーストに含まれたコンテンツから連続的なコンテンツストリームが形成される。もちろん、多数のバーストに含まれたコンテンツから連続的なコンテンツストリームが形成されてもよい。
【００２８】
本発明の１つの態様は、バーストが失われたときに移動ターミナルを動作するためのメカニズムを含む。干渉や何らかのエラーや欠陥状態のためにバーストが失われることがある。バーストが失われたときには、移動ターミナルは、別のバーストが受信されるまで、一定のオン状態で動作するように構成されてもよい。一実施形態において、移動ターミナルは、バーストの受信から所定長さの時間の後に一定のオン状態で動作するようにプログラムされてもよい。
【００２９】
図６は、ＭＰＥＧII搬送ストリームパケットの適応フィールド５０２に相対的タイミング情報が含まれる実施形態を示す。ＭＰＥＧIIヘッダ５０６に含まれた適応フィールド制御ビット５０６は、適応フィールド５０２において相対的タイミング情報の存在を信号するのに使用できる。一実施形態では、適応制御フィールド５０４が２つのビットを含む。ビット値「００」は、適応フィールドが将来の使用のために予約されたことを示し、ビット値「０１」は、ペイロードが存在するが適応フィールドが存在しないことを示し、ビット値「１０」は、適応フィールドが存在するが、ペイロードが存在しないことを示し、そしてビット値「１１」は、適応フィールド及びペイロードが存在することを示す。
【００３０】
移動ターミナル２０４は、適応フィールドの制御ビット５０６を分析して、相対的タイミング情報が適応フィールド５０２に含まれるかどうか決定するように構成されてもよい。相対的タイミング情報は、それが存在するときには、抽出モジュール２２６により抽出されて、上述したように電力管理モジュール２３０により使用される。
【００３１】
本発明は、移動ターミナルを参照して説明した。移動ターミナルの少なくとも幾つかの要素から電力を選択的に除去すると、バッテリ寿命を長くすることができる。又、電力の選択的な除去は、干渉を減少し及び／又は発熱を減少することもできる。その結果、本発明の態様は、バッテリを含まないか又は移動ではない他のブロードキャスト受信器に使用してもよい。
【００３２】
本発明を実施する現在好ましいとされる態様を含む特定の例について本発明を説明したが、当業者であれば、本発明の精神及び範囲内で上記システム及び技術の種々の変更や置き換えが明らかであろう。
【図面の簡単な説明】
【００３３】
【図１】デジタルビデオブロードキャスト受信器へ送信される典型的な搬送ストリームを示す図である。
【図２】本発明の一実施形態によりコンテンツのバーストを送信及び受信するシステムを示す図である。
【図３】本発明の一実施形態によりフォーマットされたコンテンツのバーストを示す図である。
【図４】本発明の一実施形態により相対的なタイミング情報を含むコンテンツのバーストを移動ターミナルへ送信する方法を示す図である。
【図５】本発明の一実施形態によりコンテンツのバーストを受信して処理するために移動ターミナルにより使用できる方法を示す図である。
【図６】本発明の一実施形態により適応フィールドに相対的タイミング情報を含むＭＰＥＧII搬送ストリームパケットを示す図である。
【図１】
2005518155.tif 000003
【図２】
2005518155.tif 000004
【図３】
2005518155.tif 000005
【図４】
2005518155.tif 000006
【図５】
2005518155.tif 000007
【図６】
2005518155.tif 000008
【国際調査報告】
2005518155.tif 000009
2005518155.tif 000010